(57)【要約】【課題】端末装置の置忘れや盗難により端末装置が第三者の手に渡った場合、端末装置内に記憶されている個人情報を悪用される危険性があった。また、殆どの携帯端末の利用者は端末装置内の個人情報のバックアップを取ることはない。従って、端末装置本体が所有者に戻らない限り、その端末装置内に残っている個人情報が端末装置所有者に戻ることはなかった。【解決手段】端末装置に入力した認証情報が予め端末装置内に登録しておいた登録情報と一致しなかった場合、端末装置内の個人情報をネットワークを経由して接続されている他の通信装置に退避させ、個人情報の退避後に端末装置内に残っている個人情報を消去することにより、不正な利用者による端末装置内の個人情報の閲覧を防ぐとともに、端末装置内の個人情報を回収することができる。【選択図】  図２
2005012417.tif 000002
【特許請求の範囲】
【請求項１】
第一の通信装置と第二の通信装置との間で通信を行う通信システムであって、
個人情報を記憶する第１の記憶部と、予め設定した日時にまたは間隔で信号を出力する時計部と、前記時計部から予め設定した日時にまたは間隔で出力された信号を受信すると前記記憶部に記憶された個人情報を読み出す指示を行う第１の読出制御部と、読み出された個人情報を第二の通信装置へ送信する送信部を具備する第一の通信装置と、
前記送信部から送信された個人情報を受信する受信部と、受信された個人情報を記憶する第２の記憶部を具備する第二の通信装置と、
からなる通信システム。
【請求項２】
第一の通信装置と第二の通信装置との間で通信を行う通信システムであって、
個人情報を記憶する第１の記憶部と、予め登録された登録情報を記憶する登録情報保存部と、前記登録情報と利用者が入力する認証情報とを比較し個人認証を行う認証部と、前記認証部で個人認証に失敗した回数を数えるカウンタと、前記認証失敗した回数が所定の回数を超えた場合に前記記憶部に記憶された個人情報を読み出す指示を行う第２の読出制御部と、読み出された個人情報を第二の通信装置へ送信する送信部を具備する第一の通信装置と、
前記送信部から送信された個人情報を受信する受信部と、受信された個人情報を記憶する第２の記憶部を具備する第二の通信装置と、
からなる通信システム。
【請求項３】
個人情報を記憶する第１の記憶部と、予め登録された登録情報を記憶する登録情報保存部と、前記登録情報と利用者が入力する認証情報とを比較し個人認証を行う認証部と、前記認証部で個人認証に失敗した回数を数えるカウンタと、前記認証失敗した回数が所定の回数を超えた場合に前記記憶部に記憶された個人情報を消去する指示信号を出力する第２の読出制御部と、前記指示信号を入力すると前記個人情報を消去する消去部を具備する通信装置。
【請求項４】
前記送信部によって個人情報を第二の通信装置へ送信した後、前記第１の記憶部に記憶された個人情報を消去する消去部を第一の通信装置に備えたことを特徴とする請求項２に記載の通信システム。
【請求項５】
前記第２の読出制御部は、前記送信部により読み出された個人情報を第二の通信装置へ送信する退避モード、あるいは前記消去部により第１の記憶部に記憶された個人情報を消去する消去モードのいずれかを選択することが可能な請求項４に記載の通信システム。
【請求項６】
前記記憶部は、個人情報に重要度を付加して記憶することを特徴とする請求項１及び請求項２記載のいずれかに記載の通信システム。
【請求項７】
前記送信部は、前記記憶部に記憶されている個人情報を重要度に順じて、第二の通信装置へ送信することを特徴とする請求項６に記載の通信システム。
【請求項８】
前記認証失敗した回数が所定の回数を超えた場合に警告を促すことを特徴とする請求項２乃至４のいずれかに記載の通信システム。
【発明の詳細な説明】
【０００１】
【発明の属する技術分野】
本発明は、第三者による不正使用等を防止する通信装置及び通信システムに関する。
【０００２】
【従来の技術】
従来、携帯電話やＰＤＡなどの端末装置は、第三者による不正使用を防止するための機能を持つものが主流である。例えば携帯電話は、第三者による不正な発着信、携帯電話内の個人情報の閲覧を防止する方法として、携帯電話に暗証番号を設定しておき、利用者がこの携帯電話を操作しようとすると、携帯電話から暗証番号の入力を求め、入力された暗証番号が予め登録されている暗証番号と一致した場合にのみ、携帯電話の操作を許可する方法がある。しかし、端末装置の置忘れや盗難により端末装置を紛失してしまった場合、第三者による端末装置の不正使用を防げたとしても、端末装置本体が所有者の手に戻らない限り、または所有者が端末装置内に蓄積されているデータのバックアップを予め取っておかなければ、そのデータを端末装置の所有者が再び利用、閲覧することができなかった。また、バックアップをこまめにとる人は殆どいないのが現状である。これに対して端末装置の所有者が端末装置の紛失に気づいた場合、端末装置内の情報保護を要求することにより、端末装置内の重要情報の回収、無効化を行うという方法がある（例えば特許文献１参照）。
【０００３】
【特許文献１】
特開平９−２１５０５７号公報
【０００４】
【本発明が解決しようとする課題】
しかし、従来の方法では端末装置の所有者が端末装置の紛失に気づき、情報保護要求をしない限り端末装置内の情報の回収、無効化はできず、所有者が携帯端末の紛失に気づくのが遅い場合や気づかなかった場合には、第三者により端末装置内の情報を不正に利用されてしまう可能性があった。本発明は、かかる点に鑑みてなされたものであり、端末装置を置忘れや盗難により紛失し、その所有者が端末装置の紛失に気づくのが遅い場合や気づかなかった場合にも、端末装置内のデータを回収し無効化することを目的とする。
【０００５】
【課題を解決するための手段】
本発明の通信システムは、個人情報を記憶する第１の記憶部と、予め登録された登録情報を記憶する登録情報保存部と、前記登録情報と利用者が入力する認証情報とを比較し個人認証を行う認証部と、前記認証部で個人認証に失敗した回数を数えるカウンタと、前記認証失敗した回数が所定の回数を超えた場合に前記記憶部に記憶された個人情報を読み出す指示を行う第２の読出制御部と、読み出された個人情報を第二の通信装置へ送信する送信部を具備する第一の通信装置と、前記送信部から送信された個人情報を受信する受信部と、受信された個人情報を記憶する第２の記憶部を具備する第二の通信装置と、から構成される。
【０００６】
この構成によれば、前記第一の通信装置を置忘れや盗難により紛失し、第三者の手に渡った場合、第三者が前記第一の通信装置を操作しようとし、個人認証に失敗すると前記第一の通信装置内に蓄積された個人情報をネットワークを経由して接続されている第二の通信装置に退避することで、第三者による前記個人情報の悪用を防ぐとともに、前記第一の通信装置内に蓄積された個人情報のバックアップを予め取っていなくても、第一の通信装置の所有者は前記個人情報を失わず、回収することができる。
【０００７】
【発明の実施の形態】
本発明の骨子は、携帯電話、ＰＤＡ等の端末装置の置忘れや盗難により、前記端末装置が第三者の手に渡った場合、第三者による前記端末装置内のデータの悪用を防ぐとともに、端末装置内のデータを安全な場所に退避させ、端末装置の正規の所有者が前記データを回収することを可能とすることである。
【０００８】
以下、本発明の実施の形態について図面を参照して詳細に説明する。
【０００９】
（実施の形態１）
図１は本発明の実施の形態１に係わる通信システムの構成の一例を示すブロック図である。図１に示すように、本実施の形態に係わる通信システムは第一の通信装置１００と第二の通信装置２００により構成される。前記第一の通信装置１００はネットワークを経由して前記第二の通信装置２００に接続されているものとする。ここでネットワークとは、例えばインターネット、電話回線網、光ファイバー網、無線ＬＡＮなどである。本実施の形態では一例として第一の通信装置１００は携帯電話であり、第二の通信装置２００はパソコンである場合について説明する。
【００１０】
前記携帯電話１００は、時計部１０１と、読出制御部１０２と、記憶部Ａ１０３と送信部１０４とを具備する。読出制御部１０２の入力端子は時計部１０１の出力端子に接続されている。記憶部Ａ１０３の入力端子は読出制御部１０２の出力端子に接続されている。送信部１０４の入力端子は記憶部Ａ１０３の出力端子に接続されている。
【００１１】
前記パソコン２００は、受信部２０１と、記憶部Ｂ２０２とを具備する。記憶部Ｂ２０２の入力端子は受信部２０１の出力端子に接続されている。
【００１２】
以上の構成により、予め定められた日時、又は頻度で定期的に携帯電話１００内の個人情報を、ネットワークを経由して接続されているパソコン２００に送信することによって、定期的に前記個人情報のバックアップを取る方法について以下に説明する。
【００１３】
時計部１０１は、利用者が予め設定した間隔、頻度で信号ｓ１を読出制御部１０２へ出力するものである。読出制御部１０２は、前記信号ｓ１が入力されると信号ｓ２を記憶部Ａ１０３へ出力するものである。記憶部Ａ１０３は、個人情報ｓ３を蓄積するものであり、前記信号ｓ２が入力されると前記個人情報ｓ３を読み出し送信部１０４へ与えるものである。ここで個人情報とは、例えば電話番号、メールアドレス、発着信履歴、メール、住所録、静止画像、動画像、ダウンロードしたソフトウェアである。送信部１０４は、前記記憶部Ａ１０３から与えられたデータｓ３を、ネットワークを経由して接続されている第二の通信装置２００へ送信するものである。
【００１４】
受信部２０１は、前記携帯電話１００から送信された個人情報ｓ３を受信し、記憶部Ｂ２０２へ受信した個人情報ｓ４を与えるものである。記憶部Ｂ２０２は前記受信した情報ｓ４を記憶するものである。
【００１５】
以上のように本実施の形態では、携帯電話１００内に蓄積されている個人情報を、ネットワークを経由して接続されているパソコン２００に、予め定められた日時、頻度で定期的に送信することにより、自動的に前記個人情報のバックアップを取ることができ、バックアップを取り忘れることもない。
【００１６】
なお本実施の形態では第一の通信装置１００を携帯電話としたが、これに限らず、例えば、ＰＤＡ、ノートパソコンとしても良い。
【００１７】
なお本実施の形態では第二の通信装置２００はネットワークを経由して第一の通信装置１００と接続できるものであればどのような装置でも良く、例えばＰＤＡ、携帯電話、サーバ装置などがあり、正規の利用者がこれらを自由に選択できる構成としても良い。
【００１８】
なお本実施の形態では第一の通信装置１００内に蓄積されている個人情報を第二の通信装置２００に定期的に送信する構成としたが、これに限定されるものではない。例えば、第一の通信装置１００がソフトウェアにより機能書換えが可能な場合は、機能を書換える度に前記個人情報を第二の通信装置２００に送信する構成としてもよい。また、個人情報を第二の通信装置２００に送信するときは、電子メールに添付して送信するようにしてもよい。また、個人情報の送信先は一つの第二の通信装置に限らず複数の第二の通信装置であってもよい。
【００１９】
更に、前記記憶部Ａ１０３は、個人情報に重要度（優先順位）を付加して記憶する構成とし、前記重要度に順じて重要度の高い個人情報を優先的に第二の通信装置２００に送信する構成としても良いし、送信する個人情報は必要に応じて暗号化処理を施しても良い。
【００２０】
また本実施の形態はプログラムによって実現可能である。
【００２１】
（実施の形態２）
次に、本発明の実施の形態２について図面を参照して詳細に説明する。図２は本発明の実施の形態２に係わる通信システムの構成の一例を示すブロック図である。また、図３は本実施の形態に係わる通信システムの動作の一例を示すフローチャートである。図２に示すように、本実施の形態に係わる通信システムは第一の通信装置３００と第二の通信装置４００により構成される。前記第一の通信装置３００はネットワークを経由して前記第二の通信装置４００に接続されているものとする。ここでネットワークとは、例えばインターネット、電話回線網、光ファイバー網、無線ＬＡＮなどである。本実施の形態では、一例として、前記第一の通信装置３００は携帯電話であり、前記第二の通信装置４００はパーソナルコンピュータである場合について説明する。
【００２２】
前記携帯電話３００は、入力部３０１と、登録情報保存部３０２と、認証部３０３と、カウンタ３０４と、読出制御部３０５と、記憶部Ａ３０６と送信部３０７と、消去部３０８とを具備する。認証部３０３の入力端子は入力部３０１と登録情報保存部３０２の出力端子に接続されている。カウンタ３０４の入力端子は認証部３０３の出力端子に接続されている。読出制御部３０５の入力端子は認証部３０３とカウンタ３０４の出力端子に接続されている。記憶部Ａ３０６の入力端子は読出制御部３０５と消去部３０８の出力端子に接続されている。送信部３０７の入力端子は記憶部Ａ３０６の出力端子に接続されている。消去部３０９の入力端子は読出制御部３０５の出力端子に接続されている。
【００２３】
前記パソコン４００は受信部４０１と記憶部４０２とを具備する。記憶部４０２の入力端子は受信部４０１の出力端子に接続されている。
【００２４】
以上の構成により、認証部３０３で利用者が入力した認証情報と記憶部Ａに予め登録してある登録情報とを比較することにより個人認証を行い、個人認証に所定の回数失敗した場合には、第一の通信装置装置内の記憶部Ａに蓄積されている個人情報を所定の第二の通信装置に退避させるとともに記憶部Ａに蓄積されている個人情報は消去することにより、第三者によって端末装置内の個人情報の不正使用等を防ぐことがでるとともに、正規の利用者は前記データを失うことなく回収することを可能とする方法について以下に説明する。
【００２５】
入力部３０１は、利用者によって入力された認証情報ｓ５を認証部３０３に与えるものである。ここで認証情報とは、例えばパスワード、暗証番号、ユーザＩＤである。本実施の形態では一例として利用者はパスワードを入力するものとする。
【００２６】
登録情報保存部３０２は、正規の利用者が予め登録した登録情報ｓ６を保存するものである。ここで登録情報とは、例えばパスワード、暗証番号、ユーザＩＤである。本実施の形態では一例として登録情報にパスワードを用いるものとする。
【００２７】
認証部３０３は、前記認証情報ｓ５と前記登録情報ｓ６とを比較し個人認証を行うものである。具体的には前記認証情報ｓ５と前記登録情報ｓ６とを比較し両者が一致した場合は個人認証に成功したとし、読出制御部３０５に個人認証に成功したことを示す信号ｓ７を出力する。一方、一致しなかった場合はカウンタ３０４に個人認証に失敗したことを示す信号ｓ８を出力するものである。
【００２８】
カウンタ３０４は、前記認証部３０３で個人認証に失敗した回数をカウントする。具体的には前記信号ｓ８が入力される回数を数え、カウンタ値ｃｎｔが所定の数ｔｈｓを超えると（ｃｎｔ  ＞  ｔｈｓ）、読出制御部３０５に信号ｓ９を出力するとともに、カウンタ値を０に初期化するものである。
【００２９】
読出制御部３０５は、前記認証部３０３における個人認証の結果に応じて通信装置３００の動作を選択するものであり、具体的には信号ｓ７が入力された場合には通常の動作（電話の発着信、ソフトウェアのダウンロード、アップロードなどの通信サービスや記憶部Ａへの個人情報の書き込み、読み出し、機能書き換え等を許可する）を選択する。一方、信号ｓ９が入力された場合には記憶部Ａ３０６に蓄積された個人情報ｓ１０を他の通信装置に退避する退避モードを選択し、記憶部Ａ３０６に信号ｓ１１を出力し、前記退避モードが終了すると、記憶部Ａに蓄積されている個人情報ｓ１０を消去する消去モードを選択し、消去部３０９に信号ｓ１２を出力するものである。
【００３０】
記憶部Ａ３０６は、個人情報ｓ１０を蓄積するものであり、信号ｓ１１が入力されると前記個人情報ｓ１０を読み出し送信部７に与えるものである。ここで個人情報とは、例えば電話番号、メールアドレス、発着信履歴、メール、住所録、静止画像、動画像、ダウンロードしたソフトウェア等である。
【００３１】
送信部３０７は、前記記憶部Ａ３０６から与えられた前記個人情報ｓ１０を入力とし、前記個人情報ｓ１０に対して所定の送信処理を施し、信号ｓ１３を第二の通信装置４００に送信するものである。所定の送信処理とは、例えばフレーム生成処理、変調処理、周波数変換処理、増幅処理等である。なお本発明ではその詳細な構成は特に限定されるものではない。
【００３２】
消去部３０８は、前記信号ｓ１２が入力されると前記記憶部Ａ３０６に蓄積されている個人情報ｓ１０を消去するものである。なお本発明ではその詳細な構成は特に限定されるものではない。
【００３３】
受信部４０１は、前記通信装置３００からネットワークを経由して送信された信号ｓ１３を受信し、前記信号ｓ１３に対して所定の受信処理を施し、受信した個人情報ｓ１４を記憶部Ｂ４０２に与えるものである。所定の受信処理とは、例えば増幅処理、周波数変換処理、復調処理等である。なお本発明ではその詳細な構成は特に限定されるものではない。
【００３４】
記憶部Ｂ４０２は、前記受信した個人情報ｓ１４を記憶するものである。
【００３５】
以上のように本実施の形態では、認証部３０３で利用者が入力したパスワードｓ５と登録情報保存部３０２に予め登録してあるパスワードｓ６とを比較することにより個人認証を行い、個人認証に所定の回数失敗した場合には、記憶部Ａ３０６内の個人情報ｓ１０を、ネットワークを経由して接続されている第二の通信装置４００に退避させ、その後第一の通信装置内に残された個人情報ｓ１０を消去することにより、第三者によって端末装置内の個人情報の不正使用等を防ぐことができる。また個人情報を他の記憶装置に退避することにより、端末装置を紛失した場合でも、それまで蓄積しておいたデータを失うことなく回収することができる。
【００３６】
なお本実施の形態では、記憶部Ａ３０６に記憶されている個人情報ｓ１０を消去する前に、第二の通信装置４００へ退避する構成としたが、退避せずに消去のみ行う構成としても良い。また、リモート操作により退避モード、消去モードを選択できる構成としてもよい。また、登録情報を保存する登録情報保存部３０２と、記憶部Ａ３０６を別の構成としたが、これらは情報を記憶するという点から見れば同じものであり、登録情報ｓ２を記憶部Ａ３０６に保存する構成としても良い。このとき消去部３０８により登録情報ｓ２も消去する構成にしても良い。更に個人認証にはパスワードを用いるものとしたが、これに限定されるものではない。例えば暗証番号、指紋、声紋、虹彩を用いても良い。
【００３７】
また、第二の通信装置はネットワークを経由して第一の通信装置と接続できるものであればどのような装置でも良く、例えばパーソナルコンピュータ、ＰＤＡ、携帯電話、サーバ装置などがあり、利用者がこれらを自由に選択できる構成としても良い。
【００３８】
更に、前記記憶部Ａは、個人情報に重要度（優先順位）を付加して記憶する構成とし、前記重要度に順じて重要度の高い個人情報を優先的に第二の通信装置に送信する構成としても良いし、送信する個人情報は必要に応じて暗号化処理を施しても良い。
【００３９】
（実施の形態３）
次に本発明の実施の形態３について、図面を参照して説明する。図４は本発明の実施の形態３に係わる通信装置の構成の一例を示すブロック図である。図４に示すように、本実施の形態に係わる通信装置５００は、入力部５０１と、登録情報保存部５０２と、認証部５０３と、カウンタ５０４と、読出制御部５０５と、音発生部５０６と、スピーカー５０７とを具備する。認証部５０３の入力端子は、入力部５０１と登録情報保存部５０２の出力端子に接続している。カウンタ５０４の入力端子は、認証部５０３の出力端子に接続されている。読出制御部５０５の入力端子は認証部５０３とカウンタ５０４の出力端子に接続されている。音発生部５０６の入力端子は、読出制御部５０５の出力端子に接続されている。スピーカー５０７の入力端子は音発生部５０６の出力端子に接続されている。
【００４０】
以上の構成により、認証部５０３で利用者が入力した認証情報と記憶部に予め登録してある登録情報とを比較することにより個人認証を行い、個人認証に所定の回数失敗した場合には、音発生部５０６から大音量で警告音を発することにより、第三者によって前記通信装置を悪用される可能性を低減する方法について以下に説明する。
【００４１】
入力部５０１は、利用者によって入力された認証情報ｓ１５を認証部５０３に与えるものである。ここで認証情報とは例えばパスワード、暗証番号、ユーザＩＤなどである。本実施の形態では一例として利用者はパスワードを入力するものとする。
【００４２】
登録情報保存部５０２は、正規の利用者が予め登録した登録情報ｓ１６を保存するものである。登録情報とは例えばパスワード、暗証番号、ユーザＩＤなどである。本実施の形態では一例として登録情報にパスワードを用いるものとする。
【００４３】
認証部５０３は、前記認証情報ｓ１５と前記登録情報ｓ１６とを入力とし、前記認証情報ｓ１５と前記登録情報ｓ１６とを比較し個人認証を行うものである。具体的には前記認証情報ｓ１５と前記登録情報ｓ１６とを比較し両者が一致した場合は個人認証に成功したとし、読出制御部５０５に個人認証に成功したことを示す信号信号ｓ１７を出力する。一方、一致しなかった場合はカウンタ５０４に個人認証に失敗したことを示す信号信号ｓ１８を出力するものである。
【００４４】
カウンタ５０４は、前記認証部５０３で個人認証に失敗した回数をカウントする。具体的には前記信号ｓ１８が入力される回数を数え、カウンタ値が所定の数を超えると読出制御部５０５に信号ｓ１９を出力するとともに、カウンタ値を０に初期化するものである。
【００４５】
読出制御部５０５は、前記認証部５０３における個人認証の結果に応じて通信装置５００の動作を選択するものであり、具体的には信号ｓ１７が入力された場合には通常の動作（送受信、ソフトウェアのダウンロード、機能書き換えを許可する等）を選択する。一方、信号ｓ１９が入力された場合には音発生部５０６に信号ｓ２０を出力するものである。
【００４６】
音発生部５０６は、前記読出制御部５０５から信号ｓ２０が入力されると、例えば８５ｄＢ〜１３０ｄＢ程度の大音量の警告音ｓ２１を発生し、スピーカー５０７へ与えるものである。なお本実施の形態では発生する音量を８５ｄＢ〜１３０ｄＢとしたがこれに限るものではなく、この音量より小さくてもよいし、大きくてもよい。
【００４７】
スピーカー５０７は、前記音発生部５０６から与えられた警告音ｓ２１を発するものである。
【００４８】
以上のように本実施の形態では、認証部５０３で利用者が入力したパスワードｓ１５と登録情報保存部５０２に予め登録してあるパスワードｓ１６とを比較することにより個人認証を行い、個人認証に所定の回数失敗した場合には、スピーカー５０７から警告音ｓ２１を発することにより、第三者によって前記通信装置が悪用されていることを周囲の人に知らせ、前記通信装置が悪用される可能性を低減することができる。
【００４９】
なお本実施の形態では個人認証に失敗すると警告音を発する構成としたが、これに限るものではない。不正な利用者によって通信装置が使用されていることが警告できればどのような構成でもよく、例えば音発生部５０６とスピーカー５０７の代わりに、まぶしい光を発する構成としても良し、または契約している通信事業者に自動的に発信し、不正使用を通知し、その端末装置の使用を停止する構成としてもよい。
【００５０】
また本実施の形態は、前記実施の形態２とあわせて用いても良い。つまり警告音を発すると同時に通信装置内のデータを所定の通信装置に退避させる構成としても良い。
【００５１】
【発明の効果】
以上説明したように本発明によれば、携帯電話などの端末装置の置忘れや盗難により、端末装置が第三者の手に渡った場合に、第三者による端末装置内の個人情報の不正な閲覧などを防止するとともに、端末装置内のデータを所定の場所に退避させることで端末装置内のデータを回収することができるといった効果が得られる。
【図面の簡単な説明】
【図１】本発明の実施の形態１に係わる通信システムの構成の一例を示すブロック図
【図２】本発明の実施の形態２に係わる通信システムの構成の一例を示すブロック図
【図３】本発明の実施の形態２に係わる通信システムの動作の一例を示すフロー図
【図４】本発明の実施の形態３に係わる通信装置の構成の一例を示すブロック図
【符号の説明】
１００、３００    第一の通信装置
２００、４００    第二の通信装置
１０１              時計部
１０２、３０５、５０５    読出制御部
１０３、３０６    記憶部Ａ
１０４、３０７    送信部
２０１、４０１    受信部
２０２、４０２    記憶部Ｂ
３０１、５０１    入力部
３０２、５０２    登録情報保存部
３０３、５０３    認証部
３０４、５０４    カウンタ
３０８    消去部
５００    通信装置
５０６    音発生部
５０７    スピーカー
【図１】
2005012417.tif 000003
【図２】
2005012417.tif 000004
【図３】
2005012417.tif 000005
【図４】
2005012417.tif 000006